(57)【要約】【課題】発光ユニットがたわんだ場合でも外観が良好な照明装置を提供する。【解決手段】照明装置が、発光ユニットと発光ユニットが取り付けられる器具本体とからなり、発光素子は発光素子と発光素子を覆う透光性カバーとを含み、器具本体は発光ユニットの透光性カバーが入り込むように発光ユニットが取り付けられる開口が設けられた発光ユニット取付凹部を備える。【選択図】図９
2016015304.tif 000002
【特許請求の範囲】
【請求項１】
発光素子と該発光素子を覆う透光性カバーとを含む発光ユニットと、
前記透光性カバーが入り込むように前記発光ユニットが取り付けられる開口が設けられた発光ユニット取付凹部を備える器具本体と、
を有する照明装置。
【請求項２】
前記器具本体の前記発光ユニット取付凹部は、該発光ユニット取付凹部の開口端縁に向かって広がっている
請求項１に記載の照明装置。
【請求項３】
前記発光ユニットは、前記発光ユニット取付凹部の内壁面に接触している
請求項１又は２に記載の照明装置。
【請求項４】
前記透光性カバーは、
前記発光素子から放射される光を透過する光透過部と、
前記器具本体に入り込む入り込み部と、
を備え、
前記発光ユニットは、前記透光性カバーの前記入り込み部が前記発光ユニット取付凹部の内壁面に接触した状態で前記発光ユニット取付凹部に取り付けられる
請求項３に記載の照明装置。
【請求項５】
前記発光ユニットは、
前記器具本体が取り付けられる被取付面から前記発光ユニット取付凹部内に導出される電力供給ケーブルと接続される電源部を備え、
前記被取付面の法線方向に見て、前記電源部は前記電力供給ケーブルと重なっている
請求項１から４のいずれか１項に記載の照明装置。
【請求項６】
前記発光ユニット取付凹部に前記発光ユニットを取り付けた状態を維持する取付状態維持部を備える
請求項１から５のいずれか１項に記載の照明装置。
【発明の詳細な説明】
【技術分野】
【０００１】
本発明は、照明装置に関する。
【背景技術】
【０００２】
従来、蛍光灯等の発光体が照明器具の器具本体に取り付けられ、器具本体が天井や壁等の被取付面に取り付けられる照明装置が広く用いられている。また、近年、発光素子として、従来用いられてきた白熱電球や蛍光灯に比べて消費電力が少なく、耐久性にも優れた発光ダイオード（ＬＥＤ：Ｌｉｇｈｔ  Ｅｍｉｔｔｉｎｇ  Ｄｉｏｄｅ）が多く用いられている。
このため、ＬＥＤを発光素子として使用した、天井又は壁取付用の照明装置が多数提案されている。例えば、以下の特許文献１には、発光素子を備える発光ユニットを天井等に取り付けられた器具本体に取り付けて、発光ユニットに対して電力を供給することにより、発光ユニットを発光させる照明装置が開示されている。また、例えば以下の特許文献２には、板金製の器具本体に板金製の反射笠を止め金具にて取り付ける照明装置が開示されている。
【先行技術文献】
【特許文献】
【０００３】
【特許文献１】特開２０１３−１７９０１４号公報
【特許文献２】特許第４０４５７８８号公報
【発明の概要】
【発明が解決しようとする課題】
【０００４】
しかしながら、上述した照明装置では、長尺の発光ユニットの中央部がたわむという問題がある。これは、器具本体には発光ユニットを取り付けるための取付部材が備えられているが、取付部材が設けられる位置には制限があり、器具本体の中央部には取付部材を設けることができない場合があるためである。
器具本体には、天井や壁面等の被取付面と接続するための取付ネジ用孔部や、発光ユニットと接続される電力供給用ケーブル及び電源部を収容するための空間が必要であり、取付部材の取付位置は制限される。このため、取付部材の取付位置を調整して発光ユニットのたわみを抑制することは困難である。
発光ユニットの中央部がたわんだ場合、器具本体と発光ユニットとの境界部分に隙間が生じて照明装置の外観が不良となる場合があった。
本発明は、このような事情に鑑みてなされたものであって、発光ユニットがたわんだ場合でも外観が良好な照明装置の提供を目的とする。
【課題を解決するための手段】
【０００５】
上記課題を解決するために、本発明の一態様に係る照明装置は、発光素子と該発光素子を覆う透光性カバーとを含む発光ユニットと、前記透光性カバーが入り込むように前記発光ユニットが取り付けられる開口が設けられた発光ユニット取付凹部を備える器具本体と、を有することを特徴とする。
また、本発明の他の態様に係る照明装置は、上述の照明装置において、前記器具本体の前記発光ユニット取付凹部が該発光ユニット取付凹部の開口端縁に向かって広がっていてもよい。
また、本発明の他の態様に係る照明装置は、上述の照明装置において、前記発光ユニットが前記発光ユニット取付凹部の内壁面に接触していてもよい。
【０００６】
また、本発明の他の態様に係る照明装置は、上述の照明装置において、前記透光性カバーは、前記発光素子から放射される光を透過する光透過部と、前記器具本体に入り込む入り込み部と、を備え、前記発光ユニットは、前記透光性カバーの前記入り込み部が前記発光ユニット取付凹部の内壁面に接触した状態で前記発光ユニット取付凹部に取り付けられていてもよい。
【０００７】
また、本発明の他の態様に係る照明装置は、上述の照明装置において、前記発光ユニットが前記器具本体が取り付けられる被取付面から前記発光ユニット取付凹部内に導出される電力供給ケーブルと接続される電源部を備え、前記被取付面の法線方向に見て、前記電源部が前記電力供給ケーブルと重なっていてもよい。
また、本発明の他の態様に係る照明装置は、上述の照明装置において、前記発光ユニット取付凹部に前記発光ユニットを取り付けた状態を維持する取付状態維持部を備えていてもよい。
【発明の効果】
【０００８】
本発明によれば、発光ユニットがたわんだ場合でも外観が良好な照明装置を得ることができる。
【図面の簡単な説明】
【０００９】
【図１】本発明の一実施形態に係る照明装置の外観を説明する斜視図である。
【図２】本発明の一実施形態に係る照明装置の外観を説明する正投影図。
【図３】本発明の一実施形態に係る照明装置の発光ユニット側からの外観を説明する斜視図である。
【図４】本発明の一実施形態に係る照明装置の構成を説明する分解斜視図である。
【図５】本発明の一実施形態に係る照明装置の構成を説明する斜視断面図である。
【図６】本発明の一実施形態に係る照明装置の器具本体の外観を説明する斜視図である。
【図７】本発明の一実施形態に係る照明装置に設けられる、発光ユニットの位置を規制する位置規制部材を説明する図である。
【図８】本発明の一実施形態に係る照明装置の発光ユニットの外観を説明する斜視図である。
【図９】本発明の一実施形態に係る照明装置の断面図である。
【図１０】本発明の一実施形態に係る発光ユニットが備える発光素子基板を説明する平面図である。
【図１１】本発明の一実施形態に係る発光ユニットの発光素子支持部材の構成を説明する斜視断面図である。
【図１２】本発明の一実施形態に係る発光ユニットの発光素子支持部材の構成を説明する斜視断面図である。
【図１３】本発明の一実施形態に係る発光ユニットの電源部の構成を説明する分解斜視図である。
【図１４】本発明の一実施形態に係る発光ユニットの反射部材の構成を説明する斜視断面図である。
【発明を実施するための形態】
【００１０】
以下、本発明の一実施形態に係る照明装置について説明する。なお、以下の実施形態において、照明装置が天井に取り付けられた場合に天井と対向する方向を照明装置の上方向とし、床方向を照明装置の下方向として説明する場合がある。また、図中、照明装置が天井に取り付けられた場合に鉛直上向き方向（天井方向）をＺ方向、床方向を−Ｚ方向とする場合がある。このとき、長尺形状の照明装置の長手方向の一方向をＸ方向、他方向を−Ｘ方向とし、長尺形状の照明装置の幅方向の一方向をＹ方向、他方向を−Ｙ方向のとする場合がある。
【００１１】
［照明装置の全体構成］
図１は、本発明の一実施形態に係る照明装置１の外観を示す斜視図である。
図２は、照明装置１の外観を示す正投影図であり、図２（Ａ）は照明装置１の上面図、図２（Ｂ）は照明装置１の側面図、図２（Ｃ）は照明装置１の底面図、図２（Ｄ）は照明装置１の正面図、図２（Ｅ）は照明装置１の背面図である。また、図２（Ｂ）は照明装置１の右側面図であり、照明装置１の左側面図は、右側面図と略同様であるため図示を省略する。
図３は、照明装置１の発光ユニット２０側からの外観を示す斜視図である。
図４は、照明装置１の構成を示す分解斜視図であり、図４（Ａ）は、照明装置１の上方向からの分解斜視図であり、図４（Ｂ）は、照明装置１の下方向からの分解斜視図である。
図５は、照明装置１の構成を示す斜視断面図である。
【００１２】
照明装置１は、例えば天井又は壁等の被取付面に取り付けられる照明装置用器具本体（以下、器具本体と記載する）１０と、発光素子２１を備え、器具本体１０に取り付けられる発光ユニット２０とを備える。
発光ユニット２０は、例えばＬＥＤ等の発光素子２１と発光素子２１を覆う透光性カバー２２とを備える。
器具本体１０は、発光ユニット２０の透光性カバー２２が入り込むように発光ユニット２０が取り付けられる開口が設けられた発光ユニット取付凹部１１１を備える。器具本体１０の発光ユニット取付凹部１１１は、開口端に向かって広がっており、発光ユニット２０は、発光ユニット取付凹部１１１の内壁面に接触している。
【００１３】
［器具本体］
以下、器具本体１０の構成を説明する。
図６は、器具本体１０の外観を示す斜視図であり、図６（Ａ）は、器具本体１０の上方向からの外観を示す斜視図であり、図６（Ｂ）は、器具本体１０の下方向からの外観を示す斜視図である。
図７は、器具本体１０に設けられる、発光ユニット２０の位置を所定位置に規制する位置規制部材を示す図である。
図６（Ａ）及び図６（Ｂ）に示すように、器具本体１０は、取付部材１１と、側板１２（１２ａ及び１２ｂ）と、バネ部１３（１３ａ及び１３ｂ）と、端子台１４と、吊りボルト用孔部１５と、電力供給ケーブル用孔部１６と、を備えている。
【００１４】
以下、器具本体１０の各部について詳細に説明する。
取付部材１１は、発光ユニット２０を取り付けるための発光ユニット取付凹部１１１と、発光ユニット取付凹部１１１を挟んで形成され、一方向に長く延びる側縁部１１２と、発光ユニット取付凹部１１１の底部である底板部１１４と、を備える。
発光ユニット取付凹部１１１は、合板等の材料を曲げ加工することにより、発光素子２１と発光素子２１を覆う透光性カバー２２とを含む発光ユニット２０の透光性カバー２２が入り込むように開口が設けられて形成される。発光ユニット取付凹部１１１は発光ユニット取付凹部の開口端縁に向かって広がっている。
側縁部１１２は、例えば図６（Ｂ）に示す第１側縁部１１２ａ及び第２側縁部１１２ｂからなる。側縁部１１２は、発光ユニット２０に向かって突出する突形状を有している。なお、第１側縁部１１２ａ及び第２側縁部１１２ｂの少なくとも一方が発光ユニット２０に向かって（すなわち図６中の−Ｚ方向に向かって）突出する突形状を有していればよい。
底板部１１４は、天井や壁等の被取付面と対向しており、照明装置１を被取付面に取り付けるための吊りボルト用孔部１５や、電力供給ケーブルを照明装置１内に引き込むための電力供給ケーブル用孔部１６等を備えている。
【００１５】
側板１２は、発光ユニット取付凹部１１１の両端を覆うように取付部材１１に取り付けられる。図６（Ｂ）に示すように、第１側板１２ａは、発光ユニット取付凹部１１１の一端を覆うように取付部材１１に取り付けられる。第２側板１２ｂは、発光ユニット取付凹部１１１の他端を覆うように取付部材１１に取り付けられる。
ここで、「発光ユニット取付凹部１１１」とは、第１側縁部１１２ａ及び第２側縁部１１２ｂ、並びに第１側板１２ａ及び第２側板１２ｂで囲まれる空間を示す。また、取付部材１１に第１側板１２ａ及び第２側板１２ｂを取り付けることにより、開口が形成される。
【００１６】
図７（Ａ）及び図７（Ｂ）に示すように、器具本体１０は、発光ユニット２０の取り付け位置を規制する位置規制部材１１３を備えていてもよい。位置規制部材１１３は、発光ユニット取付凹部１１１に配置される。位置規制部材１１３は、発光ユニット２０が器具本体１０に取り付けられた際に発光ユニット２０と接触する。これにより、発光ユニット２０は、発光ユニット取付凹部１１１内の所定の位置に位置決めされる。
【００１７】
例えば図７（Ａ）に示すように、位置規制部材１１３は、発光ユニット取付凹部１１１の内壁から発光ユニット取付凹部１１１内に突出して設けられていてもよい。このとき、位置規制部材１１３は、発光ユニット取付凹部１１１の内壁に固定された金属材料等からなり、発光ユニット取付凹部１１１とは別部材で形成されている。また、位置規制部材１１３は、発光ユニット取付凹部１１１及び側縁部１１２と一体に形成されるように取付部材１１の合板を曲げ加工して形成してもよい。具体的には、発光ユニット取付凹部１１１の内壁の一部に切込みを形成し、その切込みが発光ユニット取付凹部１１１内に突出するように合板を折曲げることにより、例えば断面コ字状又は断面Ｕ字状の突出部である位置規制部材１１３を形成することができる。
【００１８】
また、例えば図７（Ｂ）に示すように、位置規制部材１１３は、発光ユニット取付凹部１１１の側板１２に配置されていてもよい。このとき、位置規制部材１１３は、発光ユニット取付凹部１１１の側板１２に突出して設けられる。具体的には、器具本体１０に発光ユニット２０を取り付けた際に発光ユニット２０と対向する対向領域（図７（Ｂ）において点線で示す領域）において、側板１２の一部を発光ユニット取付凹部１１１に向かって折り曲げることにより、位置規制部材１１３が形成される。
【００１９】
図６（Ｂ）に示すように、バネ部１３は、例えば取付部材１１の底板部１１４に固定される。バネ部１３は、後述する発光ユニット２０のバネ受部２７と係合することにより発光ユニット２０を器具本体１０の発光ユニット取付凹部１１１に取り付けた状態を維持することに利用される。具体的には、第１バネ部１３ａは発光ユニット２０の第１バネ受部２７ａと係合し、第２バネ部１３ｂは発光ユニット２０の第２バネ受部２７ｂと係合する。すなわち、第１バネ受部２７ａ及び第２バネ受部２７ｂ並びに第１バネ部１３ａ及び第２バネ部１３ｂは、発光ユニット取付凹部１１１に発光ユニット２０を取り付けた状態を維持する取付状態維持部として機能する。
【００２０】
端子台１４には、後述する電力供給ケーブル４０が接続される。具体的には、端子台１４には、天井又は壁等の被取付面から導出されて後述する電源部２８との間を電気的に接続する電力供給ケーブル４０が接続される。端子台１４は、例えばネジ等により取付部材１１に取り付けられる。
吊りボルト用孔部１５は、図４（Ａ）及び図４（Ｂ）に示す吊りボルト３０により、天井又は壁等の被取付面に器具本体１０を取り付けるために設けられる。
電力供給ケーブル用孔部１６は、天井又は壁等の被取付面から導出された電力供給ケーブル４０を器具本体１０の発光ユニット取付凹部１１１内に引き込むために設けられる。
【００２１】
［発光ユニット］
以下、発光ユニット２０の構成を説明する。
図８は、発光ユニット２０の上方向からの外観を示す斜視図である。
図９は、発光ユニット２０を備える照明装置１の断面図である。
図１０は、発光ユニット２０が備える発光素子基板２３を説明する平面図である。
図１１は、図１０に示すＡ−Ａ’断面の斜視断面図である。
図１２は、図４（Ａ）及び図４（Ｂ）に示す発光素子支持部材２４の基板支持領域２４ａ側の一部を拡大して示す斜視図である。
図１３は、発光ユニット２０の電源部２８の構成を説明する分解斜視図である。なお、理解を容易にするため、発光ユニット２０の他の部分も図示している。
図１４は、発光ユニット２０の反射部材２９の構成を説明する断面斜視図である。
【００２２】
図８並びに図４（Ａ）及び図４（Ｂ）に示すように、発光ユニット２０は、発光素子２１と、透光性カバー２２（２２ａ，２２ｂ及び２２ｃ）と、発光素子基板２３と、発光素子支持部材２４と、基板固定部材２５（２５ａ〜２５ｎ）と、ネジ２６と、バネ受部２７（２７ａ及び２７ｂ）と、電源部２８と、反射部材２９とを備えている。なお、図４（Ａ）及び図４（Ｂ）において、基板固定部材２５ａを固定するネジ２６にのみ参照符号を付し、基板固定部材２５ｂから基板固定部材２５ｎを固定するネジについては参照符号を省略している。
【００２３】
以下、発光ユニット２０の各部について詳細に説明する。
透光性カバー２２は、発光素子２１を覆い、発光ユニット２０を器具本体１０に取り付けた際に器具本体１０に入り込む形状を有し、発光素子２１から放射された光を拡散する機能を有している。
図４（Ａ）及び図４（Ｂ）に示すように、透光性カバー２２は、発光素子２１を覆う主カバー部２２ａと、第１エンドカバー２２ｂ及び第２エンドカバー２２ｃとを備える。第１エンドカバー２２ｂは、主カバー部２２ａの一端を覆うように取り付けられる。第２エンドカバー２２ｃも同様に、主カバー部２２ａの他端を覆うように取り付けられる。
【００２４】
また、図９に示すように、透光性カバー２２の主カバー部２２ａは、発光素子２１から放射される光を透過する光透過部２２１と、器具本体に入り込む入り込み部２２２とを備えている。なお、入り込み部２２２は、第１入り込み部２２２ａ及び第２入り込み部２２２ｂを備えている。
透光性カバー２２の一部である入り込み部２２２が器具本体１０に入り込むことにより、発光ユニット２０がたわんだ場合であっても照明装置の外観不良が生じにくくなる。これは、発光ユニット２０がたわんだ場合に発光ユニット取付凹部１１１に入り込んでいた透光性カバー２２の入り込み部２２２が露出するのみであり、器具本体１０と発光ユニット２０との間に隙間が生じなくなるためである。
【００２５】
また、発光ユニット２０は、透光性カバー２２の入り込み部２２２が器具本体１０の発光ユニット取付凹部１１１の内壁面に接触した状態で発光ユニット取付凹部１１１に取り付けられる。このとき、入り込み部２２２の一部のみが発光ユニット取付凹部１１１に接触していればよいが、入り込み部２２２の全面が発光ユニット取付凹部１１１に接触していてもよい。
【００２６】
図４（Ａ）及び図４（Ｂ）に示すように、発光素子基板２３は、一方向に長く延びた板状部材であり、一方の面に複数の発光素子２１が実装される。また、図１０に示すように、発光素子基板２３は、複数の発光素子２１が実装された基板が複数接続（例えば基板２３ａ及び基板２３ｂが接続）されて構成されていてもよい。
【００２７】
図１０及び図１１に示すように、発光素子基板２３には、発光素子２１に電力を供給するための配線が接続される。このとき、発光素子基板２３は、後述する発光素子支持部材２４の基板支持領域２４ａに設けられた貫通孔２４ｃを通る配線２８ｄにより電源部２８と接続される。電源部２８の電源回路から供給された電力は、配線２８ｄを介して発光素子２１に供給される。
なお、図１０及び図１１に示す配線２３ｃは、基板２３ａ及び基板２３ｂを電気的に接続するための配線である。
【００２８】
発光素子支持部材２４は、発光素子２１が実装される発光素子基板２３を支持する。発光素子支持部材２４は、発光素子２１の熱を放熱するヒートシンクの機能も有している。
図４（Ａ）及び図４（Ｂ）に示すように、発光素子支持部材２４は、発光素子基板２３を支持する基板支持領域２４ａを備える下面と、電源部２８を固定する上面２４ｂとを有している。基板支持領域２４ａは、発光素子基板２３の幅よりも広く形成されている。また、発光素子支持部材２４は、発光素子基板２３を支持する基板支持領域２４ａが、器具本体１０方向に凹むように形成されている。発光素子支持部材２４は、基板支持領域２４ａにおいて、発光素子基板２３の幅方向の両端部に設けられる基板固定部材２５により発光素子基板２３を固定する。
【００２９】
また、図１０及び図１１に示すように、発光素子支持部材２４は、基板支持領域２４ａに配線２８ｄを通すための貫通孔２４ｃを備える。貫通孔２４ｃは、基板支持領域２４ａのうち、裏面に電源部２８が固定される位置に設けられる。電源部２８と対向する位置に貫通孔２４ｃを設けることにより、電源部２８から導出した配線２８ｄを、発光素子支持部材２４上の広い領域内で引き回すことなく発光素子基板２３と接続することができる。このため、配線を短くすることができ、発光ユニット２０の組み立て性が向上する。また、配線が外部に露出しないため、安全性が向上し、配線の二重被覆が不要となる。
【００３０】
基板固定部材２５は、発光素子支持部材２４の基板支持領域２４ａにおいて、発光素子基板２３の両端部に沿って設けられる。図４（Ａ）及び図４（Ｂ）、並びに図１２に示すように、基板固定部材２５は発光素子基板２３の両端部に複数備えられている。本実施形態では、基板固定部材２５ａから基板固定部材２５ｎが発光素子基板２３の両端部に複数備えられている。以下、基板固定部材２５ａから基板固定部材２５ｎを基板固定部材２５と記載する。
【００３１】
図１２に示すように、基板固定部材２５は、発光素子基板２３の側部を支持し、かつ発光素子基板２３の発光素子実装面上に突出する形状を有している。また、基板固定部材２５は、ネジ２６によって発光素子支持部材２４に固定される。
このため、発光素子基板２３は、発光素子支持部材２４に対して浮きがないように固定される。
【００３２】
図１３に示すように、バネ受部２７は、器具本体１０のバネ部１３（図７（Ｂ）参照）と係合することにより、発光ユニット２０を器具本体１０の発光ユニット取付凹部１１１に取り付けた状態を維持することに利用される。具体的には、第１バネ受部２７ａは器具本体１０の第１バネ部１３ａと係合し、第２バネ受部２７ｂは器具本体１０の第２バネ部１３ｂと係合する。すなわち、バネ部１３（第１バネ部１３ａ及び第２バネ部１３ｂ）とバネ受部２７（第１バネ受部２７ａ及び第２バネ受部２７ｂ）は、発光ユニット取付凹部１１１に発光ユニット２０を取り付けた状態を維持する取付状態維持部として機能する。なお、取付状態維持部は、発光ユニット２０が器具本体１０に取り付けた状態が維持されれば、本実施形態で説明するバネ部１３及びバネ受部２７と異なる形状であってもよい。
【００３３】
電源部２８は、ＬＥＤ等の発光素子２１の点灯回路（即ち、電源回路）を内部に収納している。電源部２８は、図９に示される器具本体１０が取り付けられる被取付面から発光ユニット取付凹部１１１内に導出される電力供給ケーブル４０と接続される。
図１３に示すように、電源部２８は、電源回路を備える電源基板２８ａと、ヒートシンク２８ｂと、電源基板２８ａ及びヒートシンク２８ｂを内部に収容する電源ボックス２８ｃと、発光素子２１に対して電力を供給するための配線２８ｄ（配線２８ｄは図１３に図示せず）とを有している。
【００３４】
電源基板２８ａに備えられた電源回路は、例えば、電力供給ケーブル４０から供給される交流電力を直流に変換し、その出力（即ち、直流電力）を発光素子２１に供給する。電源基板２８ａは、ヒートシンク２８ｂの発光素子支持部材２４側の面に固定される。
ヒートシンク２８ｂは、アルミニウム又は銅等の材料からなる。図１３に示すように、ヒートシンク２８ｂは、板状部材を複数回折り曲げた箱型形状とされているが、ヒートシンク２８ｂの形状はこれに限らない。
電源ボックス２８ｃは、プラスチック、アルミニウム又はステンレス等の材料からなり、その外観形状は一方向に長く延びた形状である。
配線２８ｄは、発光素子支持部材２４の基板支持領域２４ａに設けられた貫通孔２４ｃを通って発光素子基板２３に接続される。
【００３５】
電源部２８は、例えば、電源ボックス２８ｃに設けられた図示しない爪部によって発光素子支持部材２４の上面２４ｂに固定されている。また、電源部２８は、ネジ等の締結部材によって発光素子支持部材２４の上面２４ｂに固定されていてもよい。
電源部２８は、被取付面の法線方向に見て、電力供給ケーブル４０と重なっている。すなわち、電力供給ケーブル４０は、電源部２８の上面と器具本体１０との間に確保された電力供給ケーブル４０収容空間に配線される。このため、電力供給ケーブル４０によって発光ユニット２０の取付けが阻害されることがなくなる。
【００３６】
反射部材２９は、発光素子２１から放射された光を反射させる機能を有する。発光素子２１から放射された光は、反射部材２９によって予め設定した方向（例えば、床面に向かう方向）へ反射される。反射部材２９は、発光素子基板２３、発光素子支持部材２４又は基板固定部材２５等の任意の個所で接着剤、ピン、ネジ等によって固定される。
【００３７】
反射部材２９は、透光性カバー２２内の発光素子基板２３の発光素子２１の実装面側に設けられる。そして、反射部材２９は、発光素子基板２３から離れるように傾斜して配置されている。具体的には、反射部材２９は、例えば図１４に示すように、発光素子２１を露出させかつ発光素子基板２３を被覆する第１反射部２９ａを備えている。また、発光素子基板２３の発光素子２１の実装面側には、図示しない抵抗素子が設けられる場合がある。この場合、第１反射部２９ａには、発光素子２１を露出させる開口とともに、抵抗素子を露出させる開口が設けられる。
また、反射部材２９は、第１反射部２９ａの幅方向の一端部から発光素子基板２３から離れるように傾斜して配置される第２反射部２９ｂと、第１反射部２９ａの幅方向の他端部から発光素子基板２３から離れるように傾斜して配置される第３反射部２９ｃとを有している。第１反射部２９ａには、例えば発光素子２１を露出させるための開口が形成されている。第１反射部２９ａに上述した開口を設けることにより、発光素子２１から放射された光が第１反射部２９ａ、第２反射部２９ｂ及び第３反射部２９ｃの全面で反射され、効率的に照明装置１の発光に利用される。
【００３８】
［本発明の効果］
以上説明した本発明の一実施形態に係る照明装置によれば、以下の効果を得ることができる。
（１）発光ユニットがたわんだ場合であっても、発光ユニット取付凹部に入り込んでいた発光ユニットの透光性カバーの一部が露出するのみであるため、照明装置の外観不良が生じない。
（２）発光ユニット取付凹部の空間を広くすることができるため、発光ユニット取付け作業の作業性を向上し、また、発光ユニットの電源部や電力供給用ケーブル等の収容性が向上する。
（３）照明装置の外観を良好に保つことができるとともに、発光ユニットが発光ユニット取付凹部の内壁面の少なくとも一部の領域と接触することにより、発光ユニットの取付位置の位置決めがなされる。
（４）電力供給ケーブルが収容される空間が発光ユニット取付凹部底面と発光ユニットとの間に確保され、電力供給ケーブルによって発光ユニットの取付けが阻害されることがなくなる。
（５）取付状態維持部によって発光ユニットが器具本体に引きつけられ、器具本体から発光ユニットが外れることを抑制することができる。
【００３９】
［その他］
本発明の範囲は、図示され記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画されうる。
【符号の説明】
【００４０】
１  照明装置
１０  器具本体
１３  バネ部
１１１  取付凹部
２０  発光ユニット
２１  発光素子
２２  透光性カバー
２２１  光透過部
２２２  入り込み部
２７  バネ受部
２８  電源部
４０  電力供給ケーブル
【図１】
2016015304.tif 000003
【図２】
2016015304.tif 000004
【図３】
2016015304.tif 000005
【図４】
2016015304.tif 000006
【図５】
2016015304.tif 000007
【図６】
2016015304.tif 000008
【図７】
2016015304.tif 000009
【図８】
2016015304.tif 000010
【図９】
2016015304.tif 000011
【図１０】
2016015304.tif 000012
【図１１】
2016015304.tif 000013
【図１２】
2016015304.tif 000014
【図１３】
2016015304.tif 000015
【図１４】
2016015304.tif 000016